Podtech/llm-jp-corpus-v4-ja_patent huggingface dataset:
【手続補正書】
【提出日】平成20年12月5日(2008.12.5)
【手続補正１】
【補正対象書類名】特許請求の範囲
【補正対象項目名】請求項１
【補正方法】変更
【補正の内容】
【請求項１】
手術針であって、
近位端９０と、中間部分９５と、前記中間部分９５に動作可能に結合された可撓性の遠位端９１とを有する細長い針５４であって、前記近位端９０が近位端開口部９２を有し、前記遠位端９１が遠位端開口部９３を有し、前記開口部９２、９３が間にチャネル８３を画定する、細長い針５４を有し、
前記遠位端９１は、第１材料を含む組織係合部分９４をさらに有し、前記中間部分９５は第２材料を含み、前記第１材料は前記第２材料よりも可撓性があって、
前記組織係合部分９４が、前記中間部分９５より大きい可撓性を有し、
前記針５４が、薬物送達または生検吸引に適する手術針。
【手続補正２】
【補正対象書類名】特許請求の範囲
【補正対象項目名】請求項２
【補正方法】変更
【補正の内容】
【請求項２】
前記第１材料は超弾性合金を含む、請求項１に記載のデバイス。
【手続補正３】
【補正対象書類名】特許請求の範囲
【補正対象項目名】請求項１３
【補正方法】変更
【補正の内容】
【請求項１３】
前記システム１０が、近位端８５に開口部８７、および可撓性の遠位端８６またはその付近に開口部８８を有する細長いシース８０をさらに有し、前記シースの開口部８７、８８が、これらの間にチャネル８２を画定し、前記細長い針５４が、前記シースチャネル８２内の第１位置１１０と第２位置１２０との間に摺動可能に配置される、請求項１２に記載のデバイス。
【手続補正４】
【補正対象書類名】特許請求の範囲
【補正対象項目名】請求項１４
【補正方法】変更
【補正の内容】
【請求項１４】
請求項１２に記載のシステム１０を使用する方法１００であって、
請求項１〜１０の何れか１項に記載の前記針５４を提供するステップと（ステップ１０１）、
前記針の遠位端９１を手術部位に導入するステップと（ステップ１０３）、
前記針５４を前記位置１１０と前記位置１２０との間で移動させるように、前記第１位置１１０および前記第２位置１２０を設定するステップと（ステップ１０４）、
前記針の遠位端の組織係合部分９４を前記手術部位内に前進させるステップと（ステップ１０５）を含む方法１００。
【手続補正５】
【補正対象書類名】特許請求の範囲
【補正対象項目名】請求項１５
【補正方法】変更
【補正の内容】
【請求項１５】
負圧を含む前記シリンジ１５を準備し、前記針デバイスに接続するステップ（ステップ１０２）をさらに含む、請求項１４に記載の方法１００。
【手続補正６】
【補正対象書類名】特許請求の範囲
【補正対象項目名】請求項１６
【補正方法】変更
【補正の内容】
【請求項１６】
前記シリンジを作動させるステップ（ステップ１０６）をさらに有し、前記手術部位が吸引される、請求項１５に記載の方法１００。
【手続補正７】
【補正対象書類名】特許請求の範囲
【補正対象項目名】請求項１９
【補正方法】変更
【補正の内容】
【請求項１９】
薬剤を含むシリンジ１５を準備して、前記針デバイスに接続するステップ（ステップ１０２）をさらに含む、請求項１４に記載の方法１００。
【手続補正８】
【補正対象書類名】特許請求の範囲
【補正対象項目名】請求項２０
【補正方法】変更
【補正の内容】
【請求項２０】
前記シリンジを作動させるステップ（ステップ１０６）をさらに有し、薬剤が前記手術部位に送達される、請求項１９に記載の方法１００。
【手続補正９】
【補正対象書類名】明細書
【補正対象項目名】発明の名称
【補正方法】変更
【補正の内容】
【発明の名称】可撓性手術針デバイス
【手続補正書】
【提出日】平成20年12月2日(2008.12.2)
【手続補正１】
【補正対象書類名】特許請求の範囲
【補正対象項目名】請求項１
【補正方法】変更
【補正の内容】
【請求項１】
低侵襲医療装置において、
少なくとも、第１幅を有する区別可能にマークされた第１の帯と、第２幅を有する区別可能にマークされた第２の帯とが交互になっている螺旋状のパターンを備えている細長いシャフトを備えており、
前記シャフトの長手方向中心軸に平行な面に沿って、前記区別可能にマークされた第１の帯は複数回現れるが、その各々の間の長さの間隔は、既知の長さであり、該低侵襲医療装置を測定に使用できるように実質的に均一である、低侵襲医療装置。
【手続補正２】
【補正対象書類名】特許請求の範囲
【補正対象項目名】請求項９
【補正方法】変更
【補正の内容】
【請求項９】
前記区別可能にマークされた第１及び第２の帯と交互になっている、第３幅を有する区別可能にマークされた第３の帯を更に備えている、請求項１に記載の低侵襲医療装置。
【手続補正３】
【補正対象書類名】特許請求の範囲
【補正対象項目名】請求項１１
【補正方法】変更
【補正の内容】
【請求項１１】
低侵襲医療装置の動いた距離を判定する方法において、
請求項１に記載の低侵襲医療装置を提供する段階と、
前記区別可能にマークされた第１の帯の、前記低侵襲医療装置に隣接する点に対する最初の整列状態を観察する段階と、
前記低侵襲医療装置を、前記点を通過させて動かしながら、前記区別可能にマークされた第１の帯の出現が前記点を通過する回数を計数する段階と、
前記点を通過する前記区別可能にマークされた第１の帯の出現回数に前記既知の長さを掛けることによって、前記動いた距離を計算する段階と、から成る方法。
【手続補正４】
【補正対象書類名】特許請求の範囲
【補正対象項目名】請求項１３
【補正方法】変更
【補正の内容】
【請求項１３】
低侵襲医療装置において、
少なくとも、間に均一な第１間隔を有する個々同一の第１マーキングの第１組と、間に均一な第２間隔を有する個々同一の第２マーキングの第２組とを備えている細長いシャフトを備えている、低侵襲医療装置。
【手続補正５】
【補正対象書類名】特許請求の範囲
【補正対象項目名】請求項１５
【補正方法】変更
【補正の内容】
【請求項１５】
間に均一な第３間隔を有するとともに、前記第１組及び前記第２組のマーキングと交互になっている、個々同一の第３マーキングの第３組を有する、請求項１３に記載の低侵襲医療装置。
【手続補正６】
【補正対象書類名】特許請求の範囲
【補正対象項目名】請求項１６
【補正方法】変更
【補正の内容】
【請求項１６】
前記同一のマーキングの第１組は、第１の区別可能な視覚的外観を有しており、前記同一のマーキングの第２組は、第２の区別可能な視覚的外観を有している、請求項１３に記載の低侵襲医療装置。
【手続補正７】
【補正対象書類名】明細書
【補正対象項目名】０００７
【補正方法】変更
【補正の内容】
【０００７】
本発明は、前進距離を監視するのに使い易い視覚標識システムを有する、ワイヤーガイド、カテーテル、又は括約筋切開刀の様な低侵襲医療装置を提供する。視覚標識システムは、低侵襲医療装置上に、規則的な色／パターンの間隔を有する多色又は多パターンの螺旋又は一連の有色の／パターン化されたドットを設けて、螺旋状の縞の間（又は異なるドットの間）の距離が前進距離を示すようにしている。本発明の視覚標識システムの１つの利点は、低侵襲医療装置が、異なる色及び／又はパターンから成るシステムを使用して、前進の増分を判定するのに使用できる螺旋状の縞の全長及び／又は幅、或いはドットの寸法（及びドット間の距離）を示すことができる点である。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
医療システムであって、
心臓チャンバへペーシングパルスを送るように構成されているペーシング回路と、 
前記ペーシングパルスに関連する心臓信号を検知するように構成されている検知回路と、
前記検知回路に結合されているプロセッサであって、前記ペーシングパルスに対する応答を判断するために心臓信号が検知される前記ペーシングパルス後の期間として定義される心臓応答分類間隔を決定するように構成され、少なくとも一つの心臓信号特徴のタイミングに対して前記分類間隔を一時的に配向し、心臓ペーシング応答の種類に関連している前記少なくとも一つの心臓信号特徴のタイミング変動性に基づいて、前記分類間隔の継続期間を決定するように構成されているプロセッサと、
前記分類間隔を用いてペーシングに対する心臓応答を判断するように構成されている心臓応答分類回路であって、前記ペーシング回路が、少なくとも部分的に前記心臓ペーシング応答の判断に基づいて、ペーシング治療を施すように構成されている心臓応答分類回路と、
を含む医療システム。
【請求項２】
前記特徴がピーク振幅を含む、請求項１に記載のシステム。
【請求項３】
心臓ペーシング応答の前記種類が捕捉応答を含む、請求項１に記載のシステム。
【請求項４】
前記プロセッサが前記特徴タイミングの標準偏差を決定するように構成されている、請求項１に記載のシステム。
【請求項５】
前記プロセッサが、前記心臓信号の各々に対する前記特徴のタイミングに対して値を決定し、前記特徴タイミング値の平均を取り、前記特徴タイミング値の標準偏差を決定し、前記平均的特徴タイミングおよび標準偏差に基づいて、前記心臓応答分類間隔を形成するように構成されている、請求項１に記載のシステム。
【請求項６】
前記プロセッサが、安定基準が達成されるまで、前記心臓応答分類間隔に適合するように更に構成されている、請求項１に記載のシステム。
【請求項７】
ペーシングパルスに対する心臓応答を判断するために前記心臓応答分類間隔を使用するように構成されている心臓応答分類プロセッサを更に含む、請求項１に記載のシステム。
【請求項８】
ペーシングパルスに対する応答を判断するためにペーシングパルスの後の心臓信号を検知するために使用される心臓応答分類間隔を形成するためのシステムであって、
心臓ペーシング応答の種類に関連する心臓の信号を検知する手段と、
心臓の信号の一つ以上の特徴のタイミングの変動性を判断する手段と、
前記一つ以上の特徴の前記タイミングに対して前記分類間隔を一時的に配向し、前記タイミングの変動性を用いて前記分類間隔の期間を設定することを含む、前記心臓応答分類間隔を形成する手段と、
前記心臓応答分類間隔を用いて、心臓のペーシング応答を判断する手段と、
少なくとも部分的に前記心臓のペーシング応答の判断に基づいて、ペーシング治療を施すように構成されているペーシング回路と、
を含む分類間隔形成システム。
【請求項９】
前記心臓応答分類間隔形成手段が、ペーシング治療を施している間に検知された一つ以上の更なる心臓の信号を用いて、前記心臓応答分類間隔を変更するように構成されている、請求項８に記載のシステム。
【請求項１０】
前記心臓ペーシング応答を判断する前記手段が、前記心臓応答分類間隔を用いて捕捉を検出するように構成されている、請求項８に記載のシステム。
【手続補正書】
【提出日】平成20年11月17日(2008.11.17)
【手続補正１】
【補正対象書類名】特許請求の範囲
【補正対象項目名】請求項１２
【補正方法】変更
【補正の内容】
【請求項１２】
前記シートクッションが背もたれクッションと座部クッションとを有し、前記通気システムが背もたれ部分と座部部分とを有する請求項１１に記載のシートアセンブリ。
【手続補正２】
【補正対象書類名】特許請求の範囲
【補正対象項目名】請求項１３
【補正方法】変更
【補正の内容】
【請求項１３】
前記第１のサーマルモジュールが前記通気システムの前記座部部分に対して調整された空気を供給する請求項１２に記載のシートアセンブリ。
【手続補正３】
【補正対象書類名】特許請求の範囲
【補正対象項目名】請求項２７
【補正方法】変更
【補正の内容】
【請求項２７】
前記シートクッションが背もたれクッションと座部クッションとを有し、前記通気システムが背もたれ部分と座部部分とを有し、前記第１のサーマルモジュールが前記通気システムの前記座部部分に対して調整された空気を供給し、前記第２のサーマルモジュールが前記通気システムの前記背もたれ部分に対して調整された空気を供給する請求項２６に記載のシートアセンブリ。
【手続補正４】
【補正対象書類名】明細書
【補正対象項目名】０００８
【補正方法】変更
【補正の内容】
【０００８】
したがって、本発明の一態様が、流体を温度調整して移動させるための装置を含む。この装置は、印加された電流に応じて温度変化を生じさせる、熱エネルギーに電気エネルギーを変換するための熱電装置を有する。流体移送装置が、熱電装置と熱的に連通している流体流を生じさせ、熱電装置によって発生した熱エネルギーを流体流に伝達する。ハウジングが、流体流が中を通して送られる出口と入口とを有する。熱電装置と流体移送装置は、少なくとも部分的にそのハウジング内に配置されている。センサが、流体流の温度を示す温度信号を供給するように構成されている。制御ユニットがそのハウジングに連結されると共にそのセンサに作用上接続されている。制御ユニットは、流体流の所望温度を示す設定値信号を受け取り、設定値信号と温度信号とに基づいて熱電装置と流体移送装置とを制御するように構成されている。
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
４Ｄイメージングを用いて患者の心臓不整脈を処置するシステムであって、
心電図（ＥＣＧ）ゲート化プロトコルを利用して心臓デジタルデータを得る医用イメージングシステムと、
前記心臓デジタルデータから心周期の様々な位相に対応する選択ＥＣＧトリガ点において心腔及び周辺構造の一連の３次元（３Ｄ）画像を作成する画像作成システムと、
前記患者からＥＣＧ信号をリアルタイムで取得すると共に、該ＥＣＧ信号をインターベンションシステムへ送信するＥＣＧモニタと、
前記３Ｄ画像を前記インターベンションシステムに登録すると共に、該登録された３Ｄ画像を前記送信されたＥＣＧ信号上のトリガ点と同期させて、前記インターベンションシステム上にリアルタイムで視覚化される４Ｄ画像を作成するワークステーションと、
前記心腔内の選択位置での心臓組織を処置するカテーテル装置であって、それによって、前記インターベンションシステム上の前記４Ｄ画像の上に視覚化されるカテーテルを有するカテーテル装置と
を備える、システム。
【請求項２】
前記画像作成システムは、左房及び肺静脈の３Ｄイメージングに最適化されたプロトコルを利用して前記心臓デジタルデータから前記３Ｄ画像を作成する、請求項１に記載のシステム。
【請求項３】
前記ワークステーションは、前記送信されたＥＣＧ信号上の前記トリガ点に対する前記登録された３Ｄ画像の同期をインターベンション処置中に継続的に更新及び調節する、請求項１に記載のシステム。
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
円筒形または円形の少なくとも一つのチャンバから成る反応装置と、上記の円筒形または円形のチャンバの円筒形または円形の壁の周りに配置された気体または液体の流体を供給するための少なくとも一つの装置と、上記流体の除去装置と、上記の円筒形または円形のチャンバーの片側に設けられた固体粒子群の供給装置と、上記の円筒形または円形のチャンバーの上記とは反対側に設けられた固体粒子群を除去するための装置とを有する回転流動床装置において、下記（１）〜（３）を特徴とする装置：
（１）上記の流体を除去するための装置は上記の円筒形または円形のチャンバを縦方向に貫通する中心ダクトを有し、この中心ダクトの壁には円筒形または円形のチャンバを通って上記流体を中心ダクトの中央から除去するための少なくとも一つの排出開口が形成され、
（２）上記の流体を供給するため装置は流体インジェクタを有し、この流体インジェクタは上記円筒形または円形の壁に沿って上記流体を連続した層状に噴射して上記中心ダクトの周りを回転し、固体粒子群を回転運動させ、遠心力によって固体粒子群を上記の層を通って円筒形または円形の壁に向かってスラストさせ、
（３）上記遠心力を平均して重力の少なくとも３倍に等しい力にして、上記中心ダクトの周りに上記中心ダクトから一定距離の所を回転する固体粒子群の回転流動床に形成させ、固体粒子群は中心ダクトの排出開口を介して中心から除去される前に上記の円筒形または円形の壁に沿って摺動し、固体粒子群の少なくとも一部は流動床を通る上記流体の層で支持され、求心力は固体粒子群に生じる上記遠心力によって相殺される。
【請求項２】
上記供給装置が流動床の連続した環状セクションに対応する上記インジェクタへ別々に供給して、互いに異なる組成および／または温度および／または噴射速度を有する流体が上記環状セクションを横切って通る請求項１に記載の装置。
【請求項３】
上記中心ダクトが横断壁によって横方向に複数のセクションに分割され、各セクションは中心ダクト内部に配置された放出チューブに接続されていて、中心ダクトの各セクションから来る流体を別々に除去し、上記の円筒形または円形のチャンバの対応セクションまたは他のセクションで処理して、別々に再循環させる請求項１又は２に記載の装置。
【請求項４】
回転流動床中を懸濁する固体粒子群の触媒重合、乾燥、その他の処理または回転流動床を通る流体の触媒変換のための方法において、
反応装置の円筒形または円形のチャンバ中へ流体または複数の流体を層状または連続層状に噴射し、重力より少なくとも３倍大きな遠心力を発生させる平均回転速度で固体粒子群を随伴する流速および射出圧力で、請求項１〜３のいずれか一項に記載の円筒形または円形のチャンバ中に挿入された中心ダクトを介して中央から除去する階段から成ることを特徴とする方法。
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
細長い組立体であって、
近位部分と、
血管内に挿入されるべき遠位部分とを有し、前記遠位部分は、前記近位部分中で制御可能であり、前記遠位部分は、細長いシースを有し、前記細長いシースは、前記シースに沿って動くことができるコアを収容し、前記遠位部分は、前記細長いシースに結合される案内構造体を更に有し、前記案内構造体は、第１の形態の第１の全体直径から第２の形態の第２の全体直径まで前記遠位部分の全体直径を増大させるよう前記近位部分中で制御可能であり、前記第２の形態では、前記細長いシースは、実質的に螺旋の形状を有する、組立体。
【請求項２】
組立体であって、
血管に沿って配置される螺旋形状を備えたシースを有し、前記シースは、前記血管の一部分への光ビームの投射及び前記血管の一部分からの光の受け取りのうちの少なくとも一方を行うことができるコアを収容するようになっており、前記コアは、前記血管の少なくとも螺旋部分を走査するよう前記シースに沿って動くことができる、組立体。
【請求項３】
血管内に挿入されるべき組立体であって、
シースを有し、前記シースは、前記血管の一部分への光ビームの投射及び前記血管の一部分からの光の受け取りのうちの少なくとも一方を行うことができるコアを収容するようになっており、前記コアは、前記血管の少なくとも螺旋部分を走査するよう前記シースに沿って動くことができ、
前記シースに沿って前記シースの少なくとも一部分に結合されたバルーンを有し、前記バルーンは、膨張状態では、前記シースと前記血管との間の光経路の少なくとも一部分を無くし又は減少させて光遮断度を減少させる、組立体。
【請求項４】
血管内に挿入されるべき組立体であって、互いに撚り合わされた複数の螺旋シースを有し、前記螺旋シースは、前記血管の一部分への光ビームの投射及び前記血管の一部分からの光の受け取りのうちの少なくとも一方を行うことができる１つ又は２つ以上のコアを収容する、組立体。
【請求項５】
組立体を操作する方法であって、
前記組立体の遠位部分を血管内に挿入するステップを有し、前記組立体の前記遠位部分は、前記血管の一部分への光ビームの投射及び前記血管の一部分からの光の受け取りのうちの少なくとも一方を行うことができるコアを収容するシースを有し、
前記組立体の近位部分を操作して前記血管内で前記シースの螺旋半径を拡張するステップを有する、方法。
【請求項６】
遠位部分及び近位部分を有する組立体であって、前記遠位部分は、血管内に挿入されるようになっており、前記遠位部分は、前記近位部分に対する操作により制御可能であり、前記組立体は、
前記遠位部分のところに設けられていて、前記血管の一部分への光ビームの投射及び前記血管の一部分からの光の受け取りのうちの少なくとも一方を行うことができるコアを収容するシースと、
前記近位部分のところの操作により前記血管内での前記シースの形状を調節する手段とを有する、組立体。
【請求項７】
遠位部分及び近位部分を備えた組立体であって、前記遠位部分は、血管内に挿入されるようになっており、前記遠位部分は、前記近位部分に対する操作により制御可能であり、前記組立体は、
前記遠位部分のところに設けられていて、前記血管の一部分への光ビームの投射及び前記血管の一部分からの光の受け取りのうちの少なくとも一方を行うことができるコアを収容するシースと、
前記シースに結合されたコントローラとを有し、前記コントローラは、前記近位部分のところでの操作により前記血管内における前記シースの形状を調節する、組立体。
【請求項８】
血管内に挿入されるようになった組立体であって、
シースを有し、前記シースは、前記血管の一部分への光ビームの投射及び前記血管の一部分からの光の受け取りのうちの少なくとも一方を行うことができるコアを収容し、前記コアは、血管の少なくとも一部分を走査するよう前記シースに沿って動くことができ、
前記シースの少なくとも一部分に結合された支持体を有し、前記支持体は、前記シースと前記血管との間の信号経路の少なくとも一部分を無くし又は減少させるよう形状を変更させることができる、組立体。
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
血管内への挿入に適した寸法を備えたカニューレ及び前記カニューレに結合された拡張可能な物体を有する装置であって、前記拡張可能な物体は、前記血管中への挿入に適した第１の外径と、前記第１の外径よりも大きく且つ前記血管の内周部の形状を修整してほぼ同じ周長を保持する最大寸法を備えた第２の外径とを有する、装置。
【請求項２】
キットであって、
血管内への挿入に適した寸法を備えたカニューレ及び前記カニューレに結合された拡張可能な物体を有し、前記拡張可能な物体は、前記血管中への挿入に適した第１の外径と、前記第１の外径よりも大きく且つ前記血管の内周部の形状を修整して同じ周長を保持する最大寸法を備えた第２の外径とを有し、
血管を通して前記拡張可能な本体上に展開配備されるのに適する直径を備えたステントを有する、キット。
【請求項３】
血管内への配置に適した拡張直径を備える拡張可能なフレーム構造を有する装置であって、前記拡張可能なフレーム構造は、第１の端部、第２の端部、及び前記第１の端部と前記第２の端部との間に位置していて、前記フレーム構造を貫通したルーメンを構成するポリマー材料を有する、装置。
【請求項４】
血管内への挿入に適する直径を備えた拡張可能な本体を有する装置であって、前記拡張可能な本体は、第１の折り畳み直径から２気圧未満のインフレーション圧力に応答して第２の大きな拡開直径に変更可能であり、変更後、２気圧未満のインフレーション圧力では非応従性である、装置。
【請求項５】
血管内への挿入に適する直径を備えた拡張可能な本体を有する装置であって、前記拡張可能な本体は、第１の直径からインフレーション圧力に応答して第２の大きな直径に変更可能であり、前記第２の直径は、前記血管の内径よりも小さく、変更後、増大したインフレーション圧力における応従性が低い、装置。
【請求項６】
脆弱性プラークの長さよりも長い長さ寸法を定める第１の端部及び第２の端部を有するバルーン拡張型管腔内フレーム構造を有する装置であって、前記フレーム構造は、前記第１の端部のところに軸方向に向けられた固定部分を有し、前記第２の端部は、血管に固定可能であり、前記第２の端部は、前記第１の端部と前記第２との間の中間部分を、前記中間部分を血管に固定することなく支持する、装置。
【手続補正書】
【提出日】平成20年12月18日(2008.12.18)
【手続補正１】
【補正対象書類名】特許請求の範囲
【補正対象項目名】請求項１
【補正方法】変更
【補正の内容】
【請求項１】
供給源から目の手術部位へ洗浄液を搬送する灌注腔、および該手術部位から収集容器に吸引物を搬送する吸引腔が形成されて成る長さを有する管であって、
前記灌注腔および吸引腔が同心でなく並設されて成り、閉塞解除後に生じるサージを抑制する弾性共通壁を有していることを特徴とする眼疾患手術用灌注/吸引管。
【手続補正２】
【補正対象書類名】特許請求の範囲
【補正対象項目名】請求項６
【補正方法】変更
【補正の内容】
【請求項６】
洗浄液源、吸引ポンプ源、患者の目に洗浄液を注入すると共に該目から液体および組織を吸引する手術用ハンドピース、および該手術用ハンドピースを前記洗浄液源および吸引ポンプ源に接続する、長さを有する管を有して成る装置であって、
前記管の少なくとも一部に洗浄液を搬送する灌注腔、および吸引液および組織を搬送する吸引腔が同心でなく並設されて成り、該灌注腔および吸引腔が閉塞解除後に生じるサージを抑制する弾性共通壁を有していることを特徴とする眼疾患手術装置。
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
頭皮弁クランプの固定器具であって、
互いにピボット運動するように関連している第一ハンドルおよび第二ハンドルと、グリッピングアームと、テンショニングアームとを有し、グリッピングアームは第一ハンドルと作動可能なように関連し、テンショニングアームは第二ハンドルと作動可能なように関連し、グリッピングアームおよびテンショニングアームは第一ハンドルおよび第二ハンドルの移動に応答して移動でき、
グリッピングアームおよびテンショニングアームの各々は、近位側部分および遠位側部分を更に有し、遠位側部分は、頭皮弁クランプの伸長部材を受入れるための貫通凹部を備え、
前記凹部と作動可能なように関連しているクランピング組立体を有し、クランピング組立体は、伸長部材が前記凹部内でスライドすることを可能にする非作用形態と、伸長部材を前記凹部内に固定する作用形態とを備え、
グリッピングアームおよびテンショニングアームの少なくとも一方と作用するように関連して、伸長部材をクリンピングするクリンピング要素を有し、クリンピング要素は更に第一クリンピング部材および第二クリンピング部材を備え、
第一端部および第二端部を備えた伸長可能な引っ張り要素を備えた張力制限組立体を更に有し、第一端部は第一位置で第一ハンドルに解放可能に取付けることができ、第二端部はグリッピングアームに解放可能に取付けることができ、第一ハンドルおよびグリッピングアームはピボット継手で連結され、
第一ハンドルおよび第二ハンドルを一緒に把握することにより、クランピング組立体を作用形態にすることができる、
ことを特徴とする固定器具。
【請求項２】
前記伸長可能な引っ張り要素の第一端部および第二端部は第一ハンドルおよびグリッピングアームと係合して、ハンドルおよびアームが互いに第一方向にピボット運動することを許容しかつ逆方向にピボット運動することに抵抗することを特徴とする請求項１記載の固定器具。
【請求項３】
第一端部および第二端部を備えた第二引っ張り要素を更に有し、各端部は取付け要素を備え、第一端部は第一ハンドルに取付けることができ、第二端部はグリッピングアームに取付けることができることを特徴とする請求項１記載の固定器具。
【請求項４】
前記第一引っ張りワイヤおよび第二引っ張りワイヤが実質的に異なる引っ張り強度を有することを特徴とする請求項３記載の固定器具。
【請求項５】
前記張力制限組立体は片持ち梁を有し、片持ち梁はグリッピングアームに着脱可能に取付けられることを特徴とする請求項１記載の固定器具。
【請求項６】
頭皮弁クランプに使用するキットであって、
請求項１に記載の固定器具と、
複数の引っ張り要素とを有し、少なくとも1つの引っ張り要素が第一端部および第二端部を備え、第一端部が第一アームと係合する取付け要素を備え、第二端部がグリッピングアームと係合する取付け要素を備え、
複数の引っ張り要素の少なくとも２つが、実質的に等しくない「力／歪み比」を有する、
ことを特徴とするキット。
【請求項７】
前記複数の引っ張り要素の少なくとも２つが実質的に異なる引っ張り強度を有していることを特徴とする請求項６記載のキット。
【請求項８】
前記複数の引っ張り要素の少なくとも１つが片持ち梁からなることを特徴とする請求項６記載のキット。
【請求項９】
第一クランピングアームに関連している第一ハンドルおよび第二クランピングアームに関連している第二ハンドルを有し、第一ハンドルおよび第二ハンドルはピボット連結されており、
第一クランピングアームおよび第二クランピングアームの各々が更に遠位側部分を備え、各遠位側部分は更に、頭皮弁クランプの伸長部材の少なくとも一部を受入れるように構成され、
少なくとも第一クランピングアームの凹部に作用するように関連する伸長要素・クランピング組立体を有し、この組立体は伸長要素と選択的に係合するように構成され、
第二クランピングアームに関連するクランプ係合面を有し、クランプ係合面は、頭皮弁クランプのクランプ面に接触するように構成され、
第一端部および第二端部を備えた伸長可能な引っ張り要素を備えた張力制限組立体を更に有し、第一端部は第一位置で第一ハンドルに解放可能に取付けることができ、第二端部は第一クランピングアームに解放可能に取付けることができ、第一クランピングアームは第一ハンドルにピボット可能に関連しており、
伸長要素・クランピング組立体は伸長要素と係合し、クランプ係合面はクランプ面に接触し、ハンドルを互いに移動させることにより、伸長要素およびクランプ面が相対移動されることを特徴とする頭皮弁クランプの固定器具。
【請求項１０】
第一頭蓋クランピング要素および第二頭蓋クランピング要素と、これらのクランピング要素を連結すべく構成された伸長要素とを備えた少なくとも１つの頭皮弁クランプと、
頭皮弁クランプ取付け器具とを有し、前記頭皮弁クランプ取付け器具は、
第一クランピングアームに関連する第一ハンドルと、第二クランピングアームに関連する第二ハンドルとを備え、第一ハンドルおよび第二ハンドルはピボット連結され、第一クランピングアームおよび第二クランピングアームの各々は更に遠位側部分を備え、各遠位側部分は更に、頭皮弁クランプの伸長要素の少なくとも一部を受入れるように構成され、
少なくとも第一クランピングアームの凹部と作用するように関連する伸長クランピング組立体を有し、前記伸長クランピング組立体は、伸長要素と選択的に係合するように構成され、
第二クランピングアームに関連するクランプ係合面を有し、前記クランプ係合面は、第一頭蓋クランピング要素および第二頭蓋クランピング要素の１つと接触するように構成され、
張力制限組立体を有し、前記張力制限組立体は第一端部および第二端部を備えた伸長可能な引っ張り要素を備え、第一端部は第一位置で第一ハンドルに着脱可能に取付けられ、第二端部は第一クランピングアームに着脱可能に取付けられ、第一クランピングアームはピボット可能に第一ハンドルに関連しており、
伸長要素・クランピング組立体が伸長要素と係合しかつクランプ係合面がクランプ面に接触したとき、ハンドルを相互に移動させると、伸長要素およびクランプ面が相互に移動されることを特徴とする頭皮弁クランプシステム。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
ナノファイバーを含有することを特徴とする検体を検出するための検査エレメント。
【請求項２】
ナノファイバーが連続していることおよび／または電界紡糸されていることを特徴とする請求項１記載の検査エレメント。
【請求項３】
ナノファイバーが直径１０〜２０００ｎｍ、特に１０〜１０００ｎｍ、殊に１０〜５００ｎｍを有することを特徴とする請求項１または２記載の検査エレメント。
【請求項４】
ナノファイバーが親水性のナノファイバー、疎水性のナノファイバーまたはこれらの混合物から選択されていることを特徴とする請求項１〜３のいずれか１項に記載の検査エレメント。
【請求項５】
親水性のナノファイバーが超疎水性の性質を有する表面を形成することを特徴とする請求項４記載の検査エレメント。
【請求項６】
ナノファイバーがポリオレフィン、多環芳香族化合物、フッ化もしくは部分的にフッ化されたポリマー、ポリエステル、ポリアミド、ポリウレタン、ポリビニルアルコール、ポリビニルアミン、ポリエチレンイミン、ポリアルキレンオキシドおよびこれらの組合せ物もしくは共重合体から選択されたポリマーからなることを特徴とする請求項１〜５のいずれか１項に記載の検査エレメント。
【請求項７】
多孔質もしくは無孔の支持体材料に施与されたナノファイバーを含むことを特徴とする請求項１〜６のいずれか１項に記載の検査エレメント。
【請求項８】
紙、不織布および膜から選択された多孔質の支持体材料に施与されたナノファイバーを含むことを特徴とする請求項１〜７記載の検査エレメント。
【請求項９】
試料からの粒状成分を分離するための、特に血液細胞、好ましくは赤血球を分離するための、少なくとも部分的にナノファイバーからなるフィルタエレメントを含むことを特徴とする請求項８記載の検査エレメント。
【請求項１０】
（ａ）親水性のナノファイバーで覆われた少なくとも１つの領域と
（ｂ）疎水性のナノファイバーで覆われた少なくとも１つの領域とを含む
請求項１〜９のいずれか１項に記載の検査エレメント。
【請求項１１】
表面全体にわたる液体の均一な分布のために親水性と疎水性のナノファイバーの混合物で被覆された表面を含むことを特徴とする請求項１〜１０のいずれか１項に記載の検査エレメント。
【請求項１２】
請求項１〜１１のいずれか１項に記載の検査エレメントを使用することを特徴とする試料中の検体の定性的および／または定量的な測定の方法。
【請求項１３】
検体の検出のための検査エレメントにおけるフィルタとしてのナノファイバーの使用。
【請求項１４】
フィルタがナノファイバーをそれ自体として、および／または多孔質の支持体材料に施与されて含有していることを特徴とする請求項１３記載の使用。
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
２個のプーリー（１、２）を備え、プーリーのそれぞれは２個の実質的に円錐形のプーリー・シーブ（４、５）からなり、前記シーブ（４、５）は半径方向に凸状曲面を備え、その間に可変半径方向位置（Ｒ）でドライブベルト（３）を保持し、前記ドライブベルト（３）は横断要素（３２）を備え、その横方向の両側に、前記プーリー（１、２）と摩擦接触するための、少なくともその高さ方向、すなわち前記プーリー（１、２）に対して半径方向に凸状曲面を持つ側面（４０）を備え、１以上の溝（４１）を前記側面（４０）に設けることを特徴とする車両用の無段変速機。
【請求項２】
前記溝（４１）が前記側面（４０）の全幅または高さに渡って延びるため、各々の前記溝（４１）は前記要素（３２）が前記プーリー（１，２）と接触する時、開放端流路を形成することを特徴とする請求項１記載の変速機。
【請求項３】
前記側面（４０）は単一の前記溝（４１）を備え、前記溝は前記側面（４０）の本質的に高さ方向に延び、前記側面（４０）の少なくとも実質的に中央に位置することを特徴とする請求項１または２記載の変速機。
【請求項４】
前記側面（４０）は１式の前記溝（４１）を備え、前記溝は前記側面（４０）の本質的に幅方向、すなわち、前記プーリー（１、２）に対して半径方向に垂直に延びることを特徴とする請求項１、２または３記載の変速機。
【請求項５】
前記溝（４１）は共に、前記側面（４０）の幅と高さの積で決定される前記側面（４０）の総表面積の１０％から５０％を構成することを特徴とする請求項４記載の変速機。
【請求項６】
前記溝（４１）は、平滑な曲面の凸状底面によって限定され、その長辺は凸状曲面の縁面を介して前記側面（４０）と接合することを特徴とする請求項１から５のいずれか１項記載の変速機。
【請求項７】
前記ベルト（３）は、半径方向に多数の前記横断要素（３２）を包囲する連続張力要素（３１）を備え、これにより、前記横断要素（３２）は可動で、前記横断要素（３２）を連続張力要素（３１）に対して前記ベルト（３）の円周方向に移動可能にし、その両横側の前記横断要素（３２）は、前記変速機プーリー（１、２）と摩擦接触するための、少なくともその高さ方向、すなわち前記プーリー（１、２）に対して半径方向に凸状曲面を持つ前記側面（４０）を備え、前記側面（４０）に１以上の前記溝（４１）を備えることを特徴とする請求項１から６のいずれか１項による変速機で用いるドライブベルト（３）。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
画像化範囲の全域で画像を捕捉できる画像化装置を用いて、１つまたは複数の生体を画像化する方法であって、
ａ）前記１つまたは複数の生体を環境内に配置する工程と、
ｂ）前記１つまたは複数の生体の外側の前記環境内で、画像内に前記１つまたは複数の生体と前記環境とのコントラストをもたらす、コントラスト増強造影剤を提供する工程と、
ｃ）前記画像化装置を用いて、前記１つまたは複数の生体および前記環境の画像を記録する工程であって、それによって、前記コントラスト増強造影剤によってもたらされるコントラストを前記画像内で用いて、前記１つまたは複数の生体に関する空間解像力を得ることが可能な工程と
を含む方法。
【請求項２】
前記コントラスト増強造影剤が、その中で前記１つまたは複数の生体が支持される媒質内で提供される、請求項１記載の方法。
【請求項３】
工程ｃ）の前記記録する工程の間、前記環境を通して放射線を透過する工程と、前記透過された放射線を検出する工程と、
前記透過された放射線に対する前記１つまたは複数の生体の透過率よりも低い前記透過された放射線の透過率を有する前記コントラスト増強造影剤を構成する工程と、
前記画像の比較的明るい範囲を分離する工程と、前記１つまたは複数の生体として前記比較的明るい範囲を割り当てる工程とを含む、請求項２記載の方法。
【請求項４】
放射線を放射するように前記造影剤を構成する工程と、工程ｃ）の前記記録する工程の間、前記放射された放射線を検出する工程と、
前記画像の比較的暗い範囲を分離する工程と、前記１つまたは複数の生体として前記比較的暗い範囲を割り当てる工程とを含む、請求項２記載の方法。
【請求項５】
その中で前記１つまたは複数の生体が支持される媒質を提供する工程と、前記媒質の外側の領域内で前記コントラスト増強造影剤を提供する工程とを含む、請求項１記載の方法。
【請求項６】
前記１つまたは複数の生体を含むレセプタクルを提供する工程を含み、前記レセプタクルの内側表面が前記コントラスト増強造影剤の層を含むコーティングを含み、
前記１つまたは複数の生体が前記コーティングの表面に粘着するように、前記コーティングに粘着性を提供する工程を含む、請求項１記載の方法。
【請求項７】
放射線を放射するように前記造影剤を構成する工程と、工程ｃ）の前記記録する工程の間、前記放射された放射線を検出する工程とを含み、
前記１つまたは複数の生体が、前記１つまたは複数の生体内で、検出に利用可能な前記放射された放射線の存在を制限するように、または妨げるように、前記コントラスト増強造影剤を構成する工程を含む、請求項５又は６に記載の方法。
【請求項８】
前記画像の比較的暗い範囲を分離する工程と、前記１つまたは複数の生体として前記比較的暗い範囲を割り当てる工程とを含む、請求項５乃至７のいずれか記載の方法。
【請求項９】
ｉ）閾値処理された画像を作り出すように、比較的暗い画素と比較的明るい画素とを識別するために、前記画像に明るさの閾値を適用する工程と、
ｉｉ）前記閾値処理された画像を生体範囲に分割する工程と、
前記コントラスト増強造影剤によって提供されるコントラストを前記画像内で用いて、前記１つまたは複数の生体に関する空間解像力を得る工程を含み、前記空間解像力が前記画像内の画素を識別する、前記請求項のいずれか記載の方法。
【請求項１０】
前記１つまたは複数の生体が、前記１つまたは複数の生体内に１つまたは複数の成分を含み、方法が、前記成分を、画像内に前記１つまたは複数の生体の前記成分とその他の範囲とのコントラストをもたらす第２のコントラスト増強造影剤で印付ける工程を含む、前記請求項のいずれか記載の方法。
【請求項１１】
前記画像化装置を用いて、前記１つまたは複数の生体および前記環境の第２の画像を記録し、それによって、前記第２のコントラスト増強造影剤によってもたらされるコントラストを前記第２の画像内で用いて、１つまたは複数の前記成分に関する空間解像力を得ることが可能な工程を含む、請求項１０記載の方法。
【請求項１２】
それによって、前記第２のコントラスト増強造影剤によってもたらされるコントラストを、工程ｃ）で記録された前記画像内で用いて、１つまたは複数の前記成分に関する空間解像力を得ることが可能な、請求項１０記載の方法。
【請求項１３】
前記コントラスト増強造影剤が蛍光タンパクまたは蛍光染料である、前記請求項のいずれか記載の方法。
【請求項１４】
前記請求項のいずれか記載の方法を実行するための装置。
【請求項１５】
画像化装置を用いて、画像化範囲の全域で画像を捕捉することによって作成される１つまたは複数の生体を解析する際に使用するためのコンピュータソフトウェアであって、前記画像が、
ａ）前記１つまたは複数の生体を環境内に配置する工程と、
ｂ）前記１つまたは複数の生体の外側の前記環境内で、画像内に前記１つまたは複数の生体と前記環境とのコントラストをもたらすコントラスト増強造影剤を提供する工程と、
ｃ）前記画像化装置を用いて、前記１つまたは複数の生体および前記環境の画像を記録する工程と
によって捕捉され、
ソフトウェアが、前記コントラスト増強造影剤によってもたらされるコントラストを前記画像内で用いて、前記１つまたは複数の生体に関する空間解像力を得るように構成されるコンピュータソフトウェア。
【請求項１６】
画像化の間に、画像内に１つまたは複数の生体と環境とのコントラストをもらすように構成される、画像化されることになる前記１つまたは生体の外側の前記環境内で使用するためのコントラスト増強造影剤。
【請求項１７】
その少なくとも一部が、画像化の間に、画像内に１つまたは複数の生体と環境とのコントラストをもたらすように構成されるコントラスト増強造影剤で形成される、前記環境内で前記１つまたは複数の生体を含むためのレセプタクル。
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
野生型血清アルブミンポリペプチドをコードする修飾された核酸配列を、アスペルギルス（Aspergillus）糸状菌宿主生物において発現させることを含んで成る、アスペルギルス糸状菌宿主生物における野生型血清アルブミンポリペプチドの組換え発現方法において、
前記修飾された核酸配列が、
ａ）配列番号：５又は配列番号：７と少なくとも77％の同一性を有する修飾された配列；又は
ｂ）配列番号：５の相補鎖ヌクレオチド１〜1821又は配列番号：７の相補鎖ヌクレオチド１〜1827から成るポリヌクレオチドプローブと、高緊縮条件下でハイブリダイズする修飾された配列；
から成る群から選択される、ことを特徴とする方法。
【請求項２】
アスペルギルス（Aspergillus）糸状菌宿主生物における野生型血清アルブミンの組換え発現方法であって、
ｉ）野生型血清アルブミンをコードする核酸配列を供給し、ここで当該修飾は、
ａ）配列番号：５又は配列番号：７と少なくとも77％の同一性を有する修飾された配列；又は
ｂ）配列番号：５の相補鎖ヌクレオチド１〜1821又は配列番号：７の相補鎖ヌクレオチド１〜1827から成るポリヌクレオチドプローブと、高緊縮条件下でハイブリダイズする修飾された配列；
から成る群から選択され；そして
ii）前記修飾された核酸配列を、前記アスペルギルス糸状菌宿主において発現させる；
段階を含んで成る方法。
【請求項３】
前記アスペルギラス細胞が、アスペルギラス・アワモリ（Aspergillus awamori）、アスペルギラス・フォエチダス（Aspergillus foetidus）、アスペルギラス・ジャポニカス（Aspergillus japonicus）、アスペルギラス・ニガー（Aspergillus niger）、アスペルギラス・ニジュランス（Aspergillus nidulans）又はアスペルギラス・オリザエ（Aspergillus oryzae）である請求項１又は２に記載の方法。
【請求項４】
前記宿主細胞が、A. オリザエ又はA. ニガーである請求項１又は２に記載の方法。
【請求項５】
BSA又はHSAをコードする前記修飾された核酸配列が、配列番号５及び７から成る群から選択される請求項１〜４のいずれか1項記載の方法。
【請求項６】
ａ）配列番号５と、少なくとも77％の同一性を有し；又は
ｂ）配列番号５のヌクレオチド１〜1821の相補鎖から成るポリヌクレオチドプローブと、高い緊縮条件下でハイブリダイズする、野生型BSAタンパク質をコードし、そして糸状菌宿主生物において発現することができる修飾された核酸配列。
【請求項７】
ａ）配列番号７と、少なくとも77％の同一性を有し；又は
ｂ）配列番号７のヌクレオチド１〜1827の相補鎖から成るポリヌクレオチドプローブと、高い緊縮条件下でハイブリダイズする、野生型HSAタンパク質をコードし、そして糸状菌宿主生物において発現することができる修飾された核酸配列。
【請求項８】
配列番号５で示される請求項６に記載の修飾された核酸配列。
【請求項９】
配列番号７で示される請求項７に記載の修飾された核酸配列。
【請求項１０】
ｉ）糸状菌宿主細胞における、血清アルブミンをコードする核酸配列の組換え発現、及び/又は
ii)前記血清アルブミンと、糸状菌細胞由来の細胞抽出物とを接触することによる血清アルブミンの負荷により得られる負荷された血清アルブミン。
【請求項１１】
前記糸状菌性生物が、アクレモニウム、アスペルギラス、フサリウム、ヒューミコラ、ムコル、マイセリオプソラ、ニューロスポラ、ペニシリウム、チエラビア、トリポクラジウム又はトリコダーマから成る群から選択される請求項10記載の負荷された血清アルブミン。
【請求項１２】
前記アスペルギラス細胞が、アスペルギラス・アワモリ、アスペルギラス・フォエチダス、アスペルギラス・ジャポニカス、アスペルギラス・ニガー、アスペルギラス・ニジュランス又はアスペルギラス・オリザエである請求項11記載の負荷された血清アルブミン。
【請求項１３】
是器血清アルブミンが、HSA又はBSAである請求項10〜12のいずれか1項記載の負荷された血清アルブミン。
【請求項１４】
前記核酸配列が、配列番号５及び７から成る群から選択される請求項10〜13のいずれか1項記載の負荷された血清アルブミン。
【請求項１５】
前記細胞抽出物が、糸状菌宿主細胞を溶解することにより得られる請求項10〜13のいずれか1項記載の負荷された血清アルブミン。
【請求項１６】
細胞培養物培地への請求項10〜15のいずれか1項記載の負荷された血清アルブミンの使用。
【請求項１７】
前記細胞培養物培地が血清フリーである請求項16記載の使用。
【請求項１８】
細胞生存性、細胞増殖及び/又は生産性から成る群から選択されたパラメーターを改良するためへの請求項16又は17記載の使用。
【請求項１９】
血清アルブミンを含んで成る、凝集される乾燥粒子。
【請求項２０】
前記凝集体が50μ以上の粒度を有する請求項19記載の乾燥粒子。
【請求項２１】
50μ以上の粒度を有する、血清アルブミンを含んで成る乾燥粒子。
【請求項２２】
前記血清アルブミンの量が、合計凝集体の50wt％以上である請求項19〜21のいずれか１項記載の乾燥粒子。
【請求項２３】
前記血清アルブミンの量が、合計凝集体の75wt％以上である請求項19〜22のいずれか１項記載の乾燥粒子。
【請求項２４】
前記血清アルブミンの量が、合計凝集体の90wt％以上である請求項19〜23のいずれか１項記載の乾燥粒子。
【請求項２５】
さらに他の成分を含んで成る請求項19〜24のいずれか１項記載の乾燥粒子。
【請求項２６】
他の成分の量が、合計凝集体の50wt％である請求項25記載の乾燥粒子。
【請求項２７】
請求項19〜26のいずれか１項記載の乾燥粒子の調製方法であって、
ａ）血清アルブミン又は組換え血清アルブミンを含んで成る液体組成物を乾燥し；そして
ｂ）段階ａ）の生成物を凝集する段階を含んで成る方法。
【請求項２８】
前記液体組成物の乾燥が、噴霧乾燥により行われる請求項27記載の方法。
【請求項２９】
前記乾燥及び凝集が、流動化された噴霧乾燥機械により行われる請求項27記載の方法。
【請求項３０】
ａ）血清アルブミンを含んで成る液体組成物を調製し；
ｂ）段階ａ）の液体組成物を噴霧化し；そして
ｃ）50μ以上の粒度を有する乾燥粒子を得るために前記液体組成物を乾燥する段階を含んで成る、請求項21記載の粒子の調製方法。
【請求項３１】
前記噴霧化が、２液体ノズルアトマイザー、圧力ノズルアトマイザー又は回転アトマイザーの使用により行われる請求項30記載の方法。
【請求項３２】
前記２液体ノズル又は圧力ノズルアトマイザーが、５バール以下の圧力で運転される請求項31記載の方法。
【請求項３３】
前記回転アトマイザーが、100m/秒以下の速度で運転される請求項31記載の方法。
【請求項３４】
一次粒子の再循環段階をさらに含んで成る請求項27〜33のいずれか1項記載の方法。
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
配列番号１に対して少なくとも２５％のアミノ酸同一性を示し、リピドＡ３−Ｏ−脱アシル化酵素活性を示すポリペプチド。
【請求項２】
配列番号１記載のアミノ酸配列を示すポリペプチド。
【請求項３】
請求項１又は２に定義したアミノ酸配列を備えたポリペプチドをコードするＤＮＡ配列。
【請求項４】
請求項３記載のＤＮＡ配列を含むＤＮＡベクター。
【請求項５】
ポリペプチドをコードするＤＮＡ配列が、転写調節配列に作用可能な状態で結合している、請求項４記載のＤＮＡベクター。
【請求項６】
請求項１又は２記載のポリペプチドに結合可能な抗体。
【請求項７】
請求項４又は５記載のＤＮＡベクターを含むグラム陰性菌。
【請求項８】
請求項１又は２記載のポリペプチドをコードするＤＮＡ配列を含む百日咳菌。
【請求項９】
その外膜に、部分的又は完全に３−Ｏ−脱アシル化されたリポ多糖（ＬＰＳ）種を含む、請求項８記載の百日咳菌。
【請求項１０】
その外膜に、パルミトイル化ＬＰＳを含む、請求項９記載の百日咳菌。
【請求項１１】
部分的に３−Ｏ−脱アシル化されたＬＰＳを製造する方法であって、３−Ｏ−脱アシル化ＬＰＳの合成、及び、任意で、３−Ｏ−脱アシル化ＬＰＳの回収を促進する条件下で、請求項７〜１０に定義した細菌を培養するステップを含む方法。
【請求項１２】
少なくとも部分的に３−Ｏ−脱アシル化されたＬＰＳを含むボルデテラ菌種から入手可能なＬＰＳを含む組成物。
【請求項１３】
ボルデテラ感染症、好ましくは百日咳菌感染症の治療薬又は予防薬を製造するための、請求項７〜１０記載の細菌の使用。
【請求項１４】
ボルデテラ感染症の治療薬又は予防薬を製造するための、少なくとも部分的に３−Ｏ−脱アシル化されたＬＰＳを含む単離されたボルデテラＬＰＳの使用。
【請求項１５】
請求項７〜１０のいずれか記載の細菌を含む全細胞ワクチン。
【請求項１６】
請求項１２記載の組成物を含む無細胞ワクチン。
【請求項１７】
グラム陰性ＬＰＳ又はグラム陰性ＬＰＳを含む組成物を脱アシル化するためのインビトロ法であって、グラム陰性ＬＰＳの、酵素による脱アシル化を促進する条件下で、前記ＬＰＳ又は前記組成物を請求項１記載のポリペプチドと接触させるステップを含む方法。
【請求項１８】
ボルデテラ菌種由来の３−Ｏ−脱アシル化リピドＡ、３−Ｏ−脱アシル化ＬＰＳ、又はパルミトイル化ＬＰＳのソースを含むボルデテラに対する免疫応答誘発剤。